(57)【要約】【課題】軒の出を小さくして、垂木と横架材を高強度に接合できる木造建築物の接合構造を提供する。【解決手段】横架材１１の上部１３の角部１５に、接合金具１７を介して、横架材１１の軸方向に交差する方向に所定傾斜角度θで垂木２１を接合固定する木造建築物２３の接合構造であって、接合金具１７は、ベース板部２５に略逆さＴ字状に形成した切込溝の縦溝を境に縦溝を挟む一対の平行な縦方向折曲線で同一面側に直角に折り曲げて垂木挟持板部３３を形成するとともに、それぞれの垂木挟持板部３３の下部を切欠線でベース板部２５から切り欠きベース板部２５に垂直な横方向折曲線で外側に直角に折り曲げて横架材固定板部４１として形成し、ベース板部２５を横架材１１の軒先側垂直面４３に固定し、垂木挟持板部３３を垂木２１の両側面４５に固定し、横架材固定板部４１を横架材１１の上面４７に固定した。【選択図】  図１
2011256552.tif 000002
【特許請求の範囲】
【請求項１】
横架材の上部の角部に、接合金具を介して、該横架材の軸方向に交差する方向に所定傾斜角度で垂木を接合固定する木造建築物の接合構造であって、
前記接合金具は、ベース板部に略逆さＴ字状に形成した切込溝の縦溝を境に該縦溝を挟む一対の平行な縦方向折曲線で同一面側に直角に折り曲げて垂木挟持板部を形成するとともに、それぞれの該垂木挟持板部の下部を切欠線で前記ベース板部から切り欠き該ベース板部に垂直な横方向折曲線で外側に直角に折り曲げて横架材固定板部として形成し、
前記ベース板部を前記横架材の軒先側垂直面に固定し、
前記垂木挟持板部を前記垂木の両側面に固定し、
前記横架材固定板部を前記横架材の上面に固定したことを特徴とする木造建築物の接合構造。
【請求項２】
請求項１記載の木造建築物の接合構造であって、
それぞれの前記垂木挟持板部には取付穴が穿設され、
前記取付穴は、一方の前記垂木挟持板部と、他方の前記垂木挟持板部とで上下反転位置に配設されていることを特徴とする木造建築物の接合構造。
【請求項３】
請求項１又は２記載の木造建築物の接合構造であって、
前記略逆さＴ字状に形成した切込溝の上部縦溝部が、挟持板用屈曲溝部であることを特徴とする木造建築物の接合構造。
【請求項４】
請求項１又は２又は３記載の木造建築物の接合構造であって、
それぞれの前記横架材固定板部を分離する前記略逆さＴ字状に形成した切込溝の下部縦溝部が、固定板用屈曲溝部であることを特徴とする木造建築物の接合構造。
【発明の詳細な説明】
【技術分野】
【０００１】
本発明は、木造建築物の小屋組において、垂木に対する棟木、母屋、桁行（軒桁）等の横架材を緊結するための接合金具を用いた木造建築物の接合構造に関する。
【背景技術】
【０００２】
木造建築物の小屋組みには、垂木を台風などによる強風で吹き上げられないよう、あおり止め用の接合部材、所謂、あおり止め金物やひねり金物、折曲げ金物またはくら金物などと称する金物部材を用いて垂木を棟木、母屋、桁行などの横架材に緊結する方法がとられている。この種の接合金具を用いた方法として、例えば特許文献１には、横架材の上部の角部に、接合金具を介して、横架材の軸方向に交叉する方向に所定傾斜角度で垂木を接合固定する木造建築物の接合構造が開示されている。
【０００３】
接合金具は、接合固定部位における垂木の前面又は後面に固定された複数の取付け孔を有する第一の取付けプレートと、この第一の取付けプレートの略中心を通る切込み溝及びその左右に略４５度の広がりの折曲げ線で囲われる左右の部位を第一の取付けプレートの板面に略直角に同一方向に折曲成形することにより、互いに略直角の交差角度で突出する夫々に取付け孔を有する左右の第二の取付けプレートと、よりなる。左右の第二の取付けプレート間に横架材上部の角部が通り、この左右の第二の取付けプレートが横架材上部の角部に隣接する面に接合固定される。この接合金具を用いた垂木と横架材の接合構造によれば、垂木に対する取付け側面を左右共用でき、垂木と横架材との接合固定作業が容易で安全となり、しかも緊結状態では垂木の垂直方向からだけでなく、平行方向の力にも対応でき、木造建築における屋根剛性の向上と建築作業性に貢献できる。
【先行技術文献】
【特許文献】
【０００４】
【特許文献１】特許第３６７０６５１号公報
【発明の概要】
【発明が解決しようとする課題】
【０００５】
しかしながら、上記した従来の接合構造は、木造建築における屋根剛性を向上させることができるものの、接合金具の一部が横架材の軒先側垂直面から突出するため、垂木の突出長さを、できるだけ小さくしたい現場では不利があった。また、垂木の突出長さを小さくした接合構造では、垂木末端に近いところにビスを打つと、垂木の繊維方向が長手方向であることから割れる虞があり、この割れを防止して高強度に接合できる構造としたい要請があった。
【０００６】
本発明は上記状況に鑑みてなされたもので、その目的は、軒の出を小さくして、垂木と横架材を高強度に接合できる木造建築物の接合構造を提供することにある。
【課題を解決するための手段】
【０００７】
次に、上記の課題を解決するための手段を、実施の形態に対応する図面を参照して説明する。
本発明の請求項１記載の木造建築物の接合構造は、横架材１１の上部１３の角部１５に、接合金具１７を介して、該横架材１１の軸方向に交差する方向に所定傾斜角度θで垂木２１を接合固定する木造建築物２３の接合構造であって、前記接合金具１７は、ベース板部２５に略逆さＴ字状に形成した切込溝２７の縦溝２９を境に該縦溝２９を挟む一対の平行な縦方向折曲線３１で同一面側に直角に折り曲げて垂木挟持板部３３を形成するとともに、それぞれの該垂木挟持板部３３の下部３５を切欠線３７で前記ベース板部２５から切り欠き該ベース板部２５に垂直な横方向折曲線３９で外側に直角に折り曲げて横架材固定板部４１として形成し、前記ベース板部２５を前記横架材１１の軒先側垂直面４３に固定し、前記垂木挟持板部３３を前記垂木２１の両側面４５に固定し、前記横架材固定板部４１を前記横架材１１の上面４７に固定したことを特徴とする。
【０００８】
この木造建築物の接合構造では、ベース板部２５が横架材１１の軒先側垂直面４３に固定され、垂木挟持板部３３が垂木２１の両側面４５に固定され、横架材固定板部４１が横架材１１の上面４７に固定されることで、垂木２１の両側面４５と、横架材１１の軒先側垂直面４３及び上面４７とが、一つの接合金具１７によって一体的に固定される。接合金具１７は、ベース板部２５が軒先側垂直面４３に固定されるのみで、他の部位が軒先側垂直面４３から突出しない。
【０００９】
請求項２記載の木造建築物の接合構造は、請求項１記載の木造建築物２３の接合構造であって、それぞれの前記垂木挟持板部３３には取付穴４９が穿設され、前記取付穴４９は、一方の前記垂木挟持板部３３と、他方の前記垂木挟持板部３３とで上下反転位置に配設されていることを特徴とする。
【００１０】
この木造建築物の接合構造では、平行に折り曲げられた一対の垂木挟持板部３３の取付穴４９が上下反転位置に配設されることで、垂木２１の両側面４５側からそれぞれの取付穴４９に打ち込まれたビス同士が離間し、互いの先端が当たったり、近接したりし難くなる。
【００１１】
請求項３記載の木造建築物の接合構造は、請求項１又は２記載の木造建築物２３の接合構造であって、前記略逆さＴ字状に形成した切込溝２７の上部縦溝部５１が、挟持板用屈曲溝部５３であることを特徴とする。
【００１２】
この木造建築物の接合構造では、切込溝２７の上部縦溝部５１が直線でなく、挟持板用屈曲溝部５３として形成されることで、切断線が左右に入り組む略凹凸状となる。したがって、上部縦溝部５１が直線である場合、すなわち、垂木挟持板部３３が単純に二分割される場合に比べ、凹凸の凸部が突出する分だけ垂木挟持板部先端のベース板部２５からの離間距離が長くなって奥方の位置となる。
【００１３】
請求項４記載の木造建築物の接合構造は、請求項１又は２又は３記載の木造建築物２３の接合構造であって、それぞれの前記横架材固定板部４１を分離する前記略逆さＴ字状に形成した切込溝２７の下部縦溝部５５が、固定板用屈曲溝部５７であることを特徴とする。
【００１４】
この木造建築物の接合構造では、切込溝２７の下部縦溝部５５が直線でなく、固定板用屈曲溝部５７として形成されることで、切断線が左右に入り組む略凹凸状となる。したがって、下部縦溝部５５が直線である場合、すなわち、横架材固定板部４１が単純に二分割される場合に比べ、凹凸の凸部が突出する分だけ横架材固定板部先端のベース板部２５からの離間距離が長くなる。
【発明の効果】
【００１５】
本発明に係る請求項１記載の木造建築物の接合構造によれば、一枚の板で接合金具を成形でき、この接合金具を横架材の軒先側垂直面から突出させることなく、軒先側垂直面、横架材の上面、及び垂木の両側面を一体的に固定できる。これにより、垂木の突出量を従来より小さくしながら、垂木先端の割れを生じにくくすることができる。この結果、軒の出を小さくして、垂木と横架材を高強度に接合できる。
【００１６】
請求項２記載の木造建築物の接合構造によれば、それぞれの垂木挟持板部に穿設される取付穴が互い違いとなり、垂木の両側面からのビス同士が当たらない。また、ビス同士が近接することによる垂木の割れが生じない。この結果、垂木を高強度で固定できる。
【００１７】
請求項３記載の木造建築物の接合構造によれば、垂木挟持板部を単純に二分割する形状に比べ、屈曲により凹凸とすることで、凸部が突出する分だけベース板部からの離間距離を長くすることができる。これにより、ビス固定位置を、垂木先端から離して割れ難くし、垂木への固定強度を高めることができる。
【００１８】
請求項４記載の木造建築物の接合構造によれば、横架材固定板部を単純に二分割する形状に比べ、屈曲により凹凸とすることで、凸部が突出する分だけベース板部からの離間距離を長くすることができる。これにより、ビス固定位置を、軒先側垂直面から離して割れ難くし、横架材への固定強度を高めることができる。
【図面の簡単な説明】
【００１９】
【図１】（ａ）は本発明に係る木造建築物の接合構造に用いられる接合金具の取付前の斜視図、（ｂ）は接合金具の横架材への取付時の斜視図、（ｃ）は垂木固定時の斜視図である。
【図２】（ａ）は接合金具を斜め上から見た斜視図、（ｂ）はその接合金具を斜め下から見た斜視図である。
【図３】（ａ）は接合金具の折り曲げ前の正面図、（ｂ）は折り曲げ後の平面図、（ｃ）は折り曲げ後の側面図である。
【図４】垂木が固定される傾斜角度のバリエーションを表した側面図である。
【図５】接合金具の変形例を表す斜視図である。
【発明を実施するための形態】
【００２０】
以下、本発明の実施の形態を図面を参照して説明する。
図１（ａ）は本発明に係る木造建築物の接合構造に用いられる接合金具の取付前の斜視図、（ｂ）は接合金具の横架材への取付時の斜視図、（ｃ）は垂木固定時の斜視図である。
本実施の形態に係る木造建築物の接合構造は、横架材１１の上部１３の角部１５に、接合金具１７を介して、横架材１１の軸方向に交差する方向に所定傾斜角度θで垂木２１を接合固定する木造建築物２３の接合構造である。
【００２１】
図２（ａ）は本発明に係る木造建築物２３の接合構造に用いられる接合金具を斜め上から見た斜視図、（ｂ）はその接合金具を斜め下から見た斜視図、図３（ａ）は接合金具の折り曲げ前の正面図、（ｂ）は折り曲げ後の平面図、（ｃ）は折り曲げ後の側面図である。
接合金具１７は、厚さ１〜２mm程度の鋼板などの金属プレス成形体であって、例えば円盤形に成形される。接合金具１７は、一対の平行な垂木挟持板部３３を有する。垂木挟持板部３３は、図３（ａ）に示すベース板部２５に略逆さＴ字状に形成した切込溝２７の縦溝２９を境に、縦溝２９を挟む一対の平行な縦方向折曲線３１で同一面側（図３の紙面裏側）に直角に折り曲げて形成される。ベース板部２５には複数の取付穴４９が穿設されている。それぞれの取付穴４９には、先端にネジの螺刻された所謂タッピングスクリュ等の取付具がねじ込まれて固定される。
【００２２】
接合金具１７は、一対の横架材固定板部４１を有する。横架材固定板部４１は、それぞれの垂木挟持板部３３の下部３５を切欠線３７でベース板部２５から切り欠き、ベース板部２５に垂直な横方向折曲線３９（図２（ｂ）参照）で外側に直角に折り曲げて形成される。それぞれの横架材固定板部４１には取付穴４９が穿設される。
【００２３】
また、それぞれの垂木挟持板部３３にも複数の取付穴４９が穿設される。垂木挟持板部３３に設けられる取付穴４９は、垂木挟持板部３３が折り曲げられた状態の側面視で、一方の垂木挟持板部３３と、他方の垂木挟持板部３３とで上下反転位置に配設されている。具体的には、図３（ｃ）に示すように、一方の垂木挟持板部３３（同図の手前側）に穿設された取付穴４９は、右上のもの４９ａと、左下のもの４９ｂの２つで、他方の垂木挟持板部３３（同図の奥側）に穿設された取付穴４９は、左上のもの４９ｃと、右下のもの４９ｄとなる。つまり、仮想境界線Ｋを境に上下反転された配置となっている。平行に折り曲げられた一対の垂木挟持板部３３の取付穴４９が上下反転位置に配設されることで、垂木２１の両側面４５側からそれぞれの取付穴４９に打ち込まれたビス同士が離間し、各ビスの先端同士が当たったり、近接したりし難くなっている。
【００２４】
また、逆さＴ字状に形成した切込溝２７の上部縦溝部５１は、挟持板用屈曲溝部５３として形成される。挟持板用屈曲溝部５３は、凹凸した直線とならない屈曲溝である。切込溝２７の上部縦溝部５１が直線でなく、挟持板用屈曲溝部５３として形成されることで、切断線が左右に入り組む略Ｓ字状の凹凸となる。したがって、上部縦溝部５１が直線である場合、すなわち、垂木挟持板部３３が単純に二分割される場合に比べ、凹凸の凸部が突出する分だけ垂木挟持板部先端のベース板部２５からの離間距離が長くなる。
【００２５】
また、それぞれの横架材固定板部４１を分離する略逆さＴ字状に形成した切込溝２７の下部縦溝部５５も、固定板用屈曲溝部５７として形成される。切込溝２７の下部縦溝部５５が直線でなく、固定板用屈曲溝部５７として形成されることで、切断線が左右に入り組む略Ｓ字状の凹凸となる。したがって、下部縦溝部５５が直線である場合、すなわち、横架材固定板部４１が単純に二分割される場合に比べ、凹凸の凸部が突出する分だけ横架材固定板部先端のベース板部２５からの離間距離が長くなる。
【００２６】
次に、上記接合金具１７を用いた接合構造の手順を説明する。
図１（ａ）において、横架材１１（母屋）の端面には、洋小屋組の場合における合掌などとの取合いのために、かま継ぎなどの仕口加工（図示せず）が施されているほか、横架材１１の上部１３の長手方向における垂木２１の取付け位置には、予め適宜設置間隔で垂木２１の設置勾配に応じた傾斜状の溝、すなわち、たるき彫り２１ａが形成され、この位置に垂木２１が嵌合される。
【００２７】
図１（ｂ）に示すように、接合金具１７は、たるき彫り２１ａの形成される軒先側垂直面４３に、ベース板部２５を密着させる。ベース板部２５は、取付穴４９に取付具５９をねじ込んで軒先側垂直面４３に固定する。横架材固定板部４１は、取付穴４９に取付具５９をねじ込んで横架材１１の上面４７に固定する。
【００２８】
次いで、図１（ｃ）に示すように、垂木２１を垂木挟持板部３３の間に配置し、垂木挟持板部３３の取付穴４９に取付具５９をねじ込んで両側面４５に垂木挟持板部３３を固定する。これにより、接合金具１７を介して横架材１１（母屋）と垂木２１とを緊結する。緊結状態では、垂木２１の軸方向、及び垂木２１と直交する方向のいずれに対しても固定がなされ、接合位置の強度剛性を向上させることになる。
【００２９】
このように、本接合構造では、ベース板部２５が横架材１１の軒先側垂直面４３に固定され、垂木挟持板部３３が垂木２１の両側面４５に固定され、横架材固定板部４１が横架材１１の上面４７に固定されることで、垂木２１の両側面４５と、横架材１１の軒先側垂直面４３及び上面４７とが、一つの接合金具１７によって一体的に固定される。接合金具１７は、ベース板部２５が軒先側垂直面４３に固定されるのみで、他の部位が軒先側垂直面４３から突出しない。すなわち、ベース板部２５の一方の面側に垂木挟持板部３３を突出させる構造としたことにより、垂木２１の先端面を軒先側垂直面４３に近づけられるようになる。これにより、軒の出が殆どなくても取り付けが可能となり、勾配屋根面の強度も向上させることができる。
【００３０】
また、それぞれの垂木挟持板部３３に穿設される取付穴４９が互い違いとなり、垂木２１の両側面４５からのビス同士が当たらない。また、ビス同士が近接することによる垂木２１の割れが生じない。この結果、垂木２１を高強度で固定できる。また、垂木挟持板部３３を単純に二分割する形状に比べ、屈曲により凹凸とすることで、凸部が突出する分だけベース板部２５からの離間距離を長くすることができる。これにより、ビス固定位置を、垂木先端から離し、すなわち奥方に位置させて割れ難くし、垂木２１への固定強度を高めることができる。また、横架材固定板部４１においても、単純に二分割する形状に比べ、屈曲により凹凸とすることで、凸部が突出する分だけベース板部２５からの離間距離を長くすることができる。これにより、ビス固定位置を、軒先側垂直面４３から離して割れ難くし、横架材１１への固定強度を高めることができる。
【００３１】
図４は垂木が固定される傾斜角度のバリエーションを表した側面図である。
屋根勾配に応じて垂木２１の所定傾斜角度θは、それぞれ三寸勾配（傾斜度１７度）、四寸勾配（傾斜度２２度）、五寸勾配（傾斜度２７度）など複数の傾斜角度となるが、垂木挟持板部３３は両側面４５と平行であるので、勾配の相違によって取付け不能となることがないため、さらに汎用性が高いものとなる。
【００３２】
図５は接合金具の変形例を表す斜視図である。
この接合金具１７Ａは、図３（ａ）に示した切込溝２７を直線の縦溝２９Ａとしている。これにより、垂木挟持板部３３と、横架材固定板部４１とが矩形状となっている。
この変形例によれば、接合金具１７Ａの製作を簡単にして、製造コストも安価にすることができる。
【００３３】
したがって、本実施の形態に係る木造建築物の接合構造によれば、一枚の板で接合金具１７を成形でき、この接合金具１７を横架材１１の軒先側垂直面４３から突出させることなく、軒先側垂直面４３、横架材１１の上面４７、及び垂木２１の両側面４５を一体的に固定できる。これにより、垂木２１の突出量Ｔ（図４参照）を従来より小さくしながら、垂木先端の割れを生じにくくすることができる。この結果、軒の出を小さくして、垂木２１と横架材１１を高強度に接合することができる。
【００３４】
また、正面から見ると、ベース板部２５にて、垂木挟持板部３３と横架材固定板部４１が隠れ、見栄えが良く、すなわち従来の片側面のみに固定する金物や、従来品などのひねり金物、板部材とは違い、垂木２１を下から支えるような外観となる。
【００３５】
なお、上記した実施の形態ではベース板部２５が円盤形である例を示したが、ベース板部２５はこの他、四角形、六角形、八角形等の他の多角形であってもよい。
【符号の説明】
【００３６】
１１…横架材
１３…上部
１５…角部
１７…接合金具
２１…垂木
２３…木造建築物
２５…ベース板部
２７…切込溝
２９…縦溝
３１…縦方向折曲線
３３…垂木挟持板部
３５…下部
３７…切欠線
３９…横方向折曲線
４１…横架材固定板部
４３…軒先側垂直面
４５…両側面
４７…上面
４９…取付穴
５１…上部縦溝部
５３…挟持板用屈曲溝部
５５…下部縦溝部
５７…固定板用屈曲溝部
θ…所定傾斜角度
【図１】
2011256552.tif 000003
【図２】
2011256552.tif 000004
【図３】
2011256552.tif 000005
【図４】
2011256552.tif 000006
【図５】
2011256552.tif 000007